(57)【要約】【課題】  使用場所に設置した主水管に取り付けたメータにより計測される水量変化を検出して単位時間毎に記録する全体使用水量解析器の記録データと、各水栓の使用時間帯を検出する水栓使用検知器の記録データとを用いて、各水栓の使用状況を精度良く解析でき、解析結果を分かり易い形態で表示可能な解析・表示システムを提案すること。【解決手段】  流体使用状況の解析・表示システム１は、全体使用水量解析器４１と、個別の水栓の使用時間帯を検知する水栓検知器４２と、これらの記録データを受け取り、使用場所２での各水栓の水使用状況を解析して表示データを作成して表示する記録データ処理装置６を有し、全体使用水量が、横軸を時間、縦軸を流量とした折れ線グラフで表示され、各水栓での使用時間帯が折れ線グラフ上部に横棒として表示され、横棒が各栓に応じて異なる表示形態で表示され、横棒と水栓の対応関係も同時に表示される。【選択図】  図１
2005147721.tif 000002
【特許請求の範囲】
【請求項１】
水道水、ガスなどの流体の使用場所における全体使用流量の流量変化を単位時間毎に記録する全体使用流量解析器と、
前記使用場所における個別の流体使用箇所において流体が使用されているか否かを検出し、使用開始日時および使用終了日時と共に記録する使用検知器と、
前記使用場所での流体使用状況を解析して表示データを作成して表示する記録データ処理装置とを有し、
前記記録データ処理装置は、
前記全体使用流量解析器から、当該全体使用流量解析器の記録開始日時と、前記使用場所における単位時間毎の全体使用流量を表すパルス数を含むデータを受け取ると共に、前記使用検知器から、使用開始日時および使用終了日時を含むデータを受け取るデータ受信部と、
前記データ受信部で受け取ったデータを記憶保持する記憶部と、
前記記憶部に保持されているデータから流体使用状況を表すグラフ表示データを作成する表示データ作成部と、
表示器と、
作成された前記グラフ表示データを前記表示器に表示させる表示制御部とを備え、
前記グラフ表示データには、第１の表示データ、第２の表示データおよび第３の表示データのうちの少なくとも第１の表示データが含まれており、
前記第１の表示データには、
前記全体使用流量を、横軸を時間、縦軸を流量とした折れ線グラフで表示するためのデータと、前記流体使用箇所のそれぞれにおける流体の使用の有無を、前記折れ線グラフ上において、使用開始日時から使用終了日時まで引いた横棒として表示するためのデータと、前記横棒を各流体使用箇所に応じて異なる表示形態で表示するためのデータと、前記横棒とそれが表す各流体使用箇所との対応関係表を表示するためのデータとが含まれており、
前記第２の表示データには、
各流体使用箇所における所定期間毎の流体使用量の積算値を棒グラフで表示するためのデータが含まれており、
前記第３の表示データには、
各流体使用箇所における所定期間の流体使用量の積算値の割合を円グラフで表示するためのデータが含まれている、
流体使用状況の解析・表示システム。
【請求項２】
請求項１において、
前記記録データ処理装置は前記全体使用流量解析器から供給されるデータと、各使用検知器から供給されるデータとの間の不一致を補正するデータ補正部を有している流体使用状況の解析・表示システム。
【請求項３】
請求項２において、
前記記録データ処理装置は、前記全体使用流量解析器および前記使用検出器から供給されるデータの時刻ずれを検出する時刻ずれ検出部を備えており、
前記データ補正部は、検出された時刻ずれに基づき、前記データ間の時刻ずれを補正する時刻ずれ補正部を含んでおり、
前記時刻ずれ検出部は、前記記録データ処理装置の内部時計による時刻と、データ受信時に前記データと共に供給される前記全体使用流量解析器の内部時計による時刻、および前記使用検知器の内部時計による時刻とをそれぞれ比較することにより、データの時刻ずれ量を検出し、
前記時刻ずれ補正部は、前記使用検知器から得られるデータの時刻を前記全体使用流量解析器から得られるデータの時刻に一致するように、データを補正する流体使用状況の解析・表示システム。
【請求項４】
請求項２または３において、
前記データ補正部は、
前記全体使用流量が零から立ち上がる日時の前後に亘って使用状態にある前記流体使用箇所での使用開始日時を、当該全体使用流量が零から立ち上がる日時に変更し、
前記全体使用流量が零に立ち下がる日時の前後に亘って使用状態にある前記流体使用箇所での使用終了日時を、当該全体使用流量が零に立ち下がる日時に変更するようになっている流体使用状況の解析・表示システム。
【請求項５】
請求項４において、
前記データ補正部は、単一の前記流体使用箇所で流体が使用されている場合に、
当該流体使用箇所での使用開始日時および使用終了日時を、それぞれ、前記全体使用流量が零から立ち上がる日時および当該全体使用流量が零に立ち下がる日時に一致させるようになっている流体使用状況の解析・表示システム。
【請求項６】
請求項５において、
前記データ補正部は、単一の前記流体使用箇所での流体使用終了後に、前記全体使用流量が零に立ち下がってから再び立ち上がるまでの期間が一定時間未満の場合には、前記流体使用箇所での流体使用が継続しているようにデータ補正を行う流体使用状況の解析・表示システム。
【請求項７】
請求項２ないし６のうちのいずれかの項において、
前記データ補正部は検知器追加処理部を含んでおり、
前記検知器追加処理部は、前記全体使用流量が零でない期間に、使用状態の前記流体使用箇所が存在しない場合に、前記使用検知器が設置されていない検知器未設置箇所が有るものと判断して、未設置検知器データを表す横棒を表示するためのグラフデータを追加するようになっている流体使用状況の解析・表示システム。
【請求項８】
請求項２ないし６のうちのいずれかの項において、
前記データ補正部は、外部入力に基づき、前記全体使用流量解析器から供給されるデータと、各使用検知器から供給されるデータとの間の不一致を補正する手動補正部を含んでいる流体使用状況の解析・表示システム。
【請求項９】
請求項１ないし８のうちのいずれかの項に記載の流体使用状況の解析・表示システムに用いるコンピュータからなる前記記録データ処理装置。
【請求項１０】
請求項９に記載の記録データ処理装置に、
前記全体使用流量解析器から、当該全体使用流量解析器の記録開始日時と、前記使用場所における単位時間毎の全体使用流量を表すパルス数を含むデータを受け取ると共に、前記使用検知器から、使用開始日時および使用終了日時を含むデータを受け取るデータ受信機能と、
受け取った前記データを記憶保持する記憶機能と、
記憶されている前記データから流体使用状況を表すグラフ表示データを作成する表示データ作成機能と、
作成された前記グラフ表示データを表示器に表示させる表示制御機能とを実現させ、
前記グラフ表示データには、第１の表示データ、第２の表示データおよび第３の表示データのうちの少なくとも第１の表示データが含まれており、
前記第１の表示データには、
前記全体使用流量を、横軸を時間、縦軸を流量とした折れ線グラフで表示するためのデータと、前記流体使用箇所のそれぞれにおける流体の使用の有無を、前記折れ線グラフ上において、使用開始日時から使用終了日時まで引いた横棒として表示するためのデータと、前記横棒を各流体使用箇所に応じて異なる表示形態で表示するためのデータと、前記横棒とそれが表す各流体使用箇所との対応関係表を表示するためのデータとが含まれており、
前記第２の表示データには、
各流体使用箇所における所定期間毎の流体使用量の積算値を棒グラフで表示するためのデータが含まれており、
前記第３の表示データには、
各流体使用箇所における所定期間の流体使用量の積算値の割合を円グラフで表示するためのデータが含まれている、
流体使用状況の解析・表示用プログラム。
【請求項１１】
請求項１０において、
前記記録データ処理装置に、前記全体使用流量解析器から供給されるデータと、各使用検知器から供給されるデータとの間の不一致を補正するデータ補正機能を実現させる流体使用状況の解析・表示用プログラム。
【請求項１２】
請求項１１において、
前記記録データ処理装置に、前記全体使用流量解析器および前記使用検出器から供給される前記データの時刻ずれを検出する時刻ずれ検出機能を実現させると共に、
前記データ補正機能として、検出された時刻ずれに基づき、前記データ間の時刻ずれを補正する時刻ずれ補正機能を実現させ、
前記時刻ずれ検出機能は、前記記録データ処理装置の内部時計による時刻と、データ受信時に前記データと共に供給される前記全体使用流量解析器の内部時計による時刻、および前記使用検知器の内部時計による時刻とをそれぞれ比較することにより、データの時刻ずれ量を検出し、
前記時刻ずれ補正機能は、前記使用検知器から得られるデータの時刻を前記全体使用流量解析器から得られるデータの時刻に一致するように、データを補正する、
流体使用状況の解析・表示用プログラム。
【請求項１３】
請求項１１または１２において、
前記データ補正機能により、
前記全体使用流量が零から立ち上がる日時の前後に亘って使用状態にある前記流体使用箇所での使用開始日時が、当該全体使用流量が零から立ち上がる日時に変更され、
前記全体使用流量が零に立ち下がる日時の前後に亘って使用状態にある前記流体使用箇所での使用終了日時が、当該全体使用流量が零に立ち下がる日時に変更される流体使用状況の解析・表示用プログラム。
【請求項１４】
請求項１３において、
単一の前記流体使用箇所で流体が使用されている場合に、前記データ補正機能により、
当該流体使用箇所での使用開始日時および使用終了日時が、それぞれ、前記全体使用流量が零から立ち上がる日時および当該全体使用流量が零に立ち下がる日時に一致させられる流体使用状況の解析・表示用プログラム。
【請求項１５】
請求項１４において、
前記データ補正機能により、
単一の前記流体使用箇所での流体使用終了後に、前記全体使用流量が零に立ち下がってから再び立ち上がるまでの期間が一定時間未満の場合には、前記流体使用箇所での流体使用が継続しているようにデータ補正が行われる流体使用状況の解析・表示用プログラム。
【請求項１６】
請求項１１ないし１５のうちのいずれかの項において、
前記データ補正機能には検知器追加処理機能が含まれており、
前記検知器追加処理機能は、前記全体使用流量が零でない期間に、使用状態の前記流体使用箇所が存在しない場合に、前記使用検知器が設置されていない検知器未設置箇所が有るものと判断して、未設置検知器データを表す横棒を表示するためのグラフデータを追加する流体使用状況の解析・表示用プログラム。
【請求項１７】
請求項１１ないし１６のうちのいずれかの項において、
前記データ補正機能は、外部入力に基づき、前記全体使用流量解析器から供給されるデータと、各使用検知器から供給されるデータとの間の不一致を補正する手動補正機能を含んでいる流体使用状況の解析・表示用プログラム。
【請求項１８】
請求項１０ないし１７のうちのいずれかの項に記載の流体使用状況の解析・表示用プログラムを記録したコンピュータ読み取り可能な記録媒体。
【発明の詳細な説明】
【技術分野】
【０００１】
本発明は、水道水やガスなどの流体の使用状況を機器毎に解析して表示可能な流体使用状況の解析・表示システムに関するものである。
【背景技術】
【０００２】
一般家庭などで、節水により水道料金を節約する場合などにおいては、トイレ、洗濯機、洗面所、風呂などでそれぞれどの程度の水をどの時間帯で使用しているかなどの使用状況が分かると都合がよい。同様に、ガス料金を節約する場合にも、コンロ、給湯、床暖房などのガス機器毎にガスの使用状況が分かると都合がよい。
【０００３】
このような機器毎の使用状況の調査は、ガス、水道水などの流体を供給する主流体管に取り付けてあるメータで流体の総使用量を測定すると共に、各機器に流体を供給している分岐管にそれぞれ個別のメータを取り付けて、各機器の流体使用量を個別に測定することにより行うことができる。
【０００４】
しかし、一般家庭では、各機器に繋がる分岐管が既に建物の壁面内などに設置されている場合が多い。流体の使用調査のために、各機器に流体を供給している配管に個別にメータを取り付けようとすると、建物の壁面などを部分的に壊す必要がある。よって、機器毎の実態調査ができない場合があり、また、実態調査を行うためのメータの取り付け作業にも時間が掛かる。また、各分岐管にメータを取り付けることができたとしても、メータの検針結果からは各機器の流体流量の積算値（流体使用量）が求まるのみであり、例えば、各機器の使用時間帯などの使用状況を知ることができない。
【０００５】
そこで、流体を供給する主流体管に取り付けたメータの流量変化を検出し、流体使用場所における流量変化を単位時間毎に記録する全体使用流量解析器と、主流体管から分岐している各分岐管に接続された各機器の使用時間帯を記録する機器使用検知器とを用いることが考えられる。全体使用流量解析器および機器使用検知器の記録データに基づけば、各機器の時間毎の流体使用量をパソコン等からなる記録データ処理装置を用いて解析することができる。この場合、個別のメータを取り付けて各機器の流体流量を個別に測定する必要がないので便利である。かかるシステムは、本願人により、特願２００２−１４１１００号において開示されている。
【発明の開示】
【発明が解決しようとする課題】
【０００６】
本発明の課題は、流体使用場所に流体を供給する主流体管に取り付けたメータにより計測される流量変化を検出して単位時間毎に記録する全体使用流量解析器の記録データと、各機器の使用時間を検出する機器使用検知器の記録データとを用いて、各機器の流体使用状況を精度良く解析でき、また、解析結果を分かり易い形態で表示可能な流体使用状況の解析・表示システムを提案することにある。
【課題を解決するための手段】
【０００７】
本発明の流体使用状況の解析・表示システムは、
水道水、ガスなどの流体の使用場所における全体使用流量の流量変化を単位時間毎に記録する全体使用流量解析器と、
前記使用場所における個別の流体使用箇所において流体が使用されているか否かを検出し、使用開始日時および使用終了日時と共に記録する使用検知器と、
前記使用場所での流体使用状況を解析して表示データを作成して表示する記録データ処理装置とを有し、
前記記録データ処理装置は、
前記全体使用流量解析器から、当該全体使用流量解析器の記録開始日時と、前記使用場所における単位時間毎の全体使用流量を表すパルス数を含むデータを受け取ると共に、前記使用検知器から、使用開始日時および使用終了日時を含むデータを受け取るデータ受信部と、
前記データ受信部で受け取ったデータを記憶保持する記憶部と、
前記記憶部に保持されているデータから流体使用状況を表すグラフ表示データを作成する表示データ作成部と、
表示器と、
作成された前記グラフ表示データを前記表示器に表示させる表示制御部とを備え、
前記グラフ表示データには、第１の表示データ、第２の表示データおよび第３の表示データのうちの少なくとも第１の表示データが含まれており、
前記第１の表示データには、
前記全体使用流量を、横軸を時間、縦軸を流量とした折れ線グラフで表示するためのデータと、前記流体使用箇所のそれぞれにおける流体の使用の有無を、前記折れ線グラフ上において、使用開始日時から使用終了日時まで引いた横棒として表示するためのデータと、前記横棒を各流体使用箇所に応じて異なる表示形態で表示するためのデータと、前記横棒とそれが表す各流体使用箇所との対応関係表を表示するためのデータとが含まれており、
前記第２の表示データには、
各流体使用箇所における所定期間毎の流体使用量の積算値を棒グラフで表示するためのデータが含まれており、
前記第３の表示データには、
各流体使用箇所における所定期間の流体使用量の積算値の割合を円グラフで表示するためのデータが含まれていることを特徴としている。
【０００８】
本発明の流体使用状況の解析・表示システムによれば、各流体使用箇所での流体使用状況を分かり易く表示できる。
【０００９】
ここで、前記記録データ処理装置は、前記全体使用流量解析器から供給されるデータと、各使用検知器から供給されるデータとの間の不一致を補正するデータ補正部を有していることが望ましい。
【００１０】
前記全体使用流量解析器と各使用検知器の間の時刻ずれに起因するデータ間の不一致を補正するためには、前記全体使用流量解析器および前記使用検出器から供給されるデータの時刻ずれを検出する時刻ずれ検出部を備え、前記データ補正部として、検出された時刻ずれに基づき、前記データ間の時刻ずれを補正する時刻ずれ補正部を備えた構成を採用すればよい。この場合、前記時刻ずれ検出部は、前記記録データ処理装置の内部時計による時刻と、データ受信時に前記データと共に供給される前記全体使用流量解析器の内部時計による時刻、および前記使用検知器の内部時計による時刻とをそれぞれ比較することにより、データの時刻ずれ量を検出し、前記時刻ずれ補正部は、前記使用検知器から得られるデータの時刻を前記全体使用流量解析器から得られるデータの時刻に一致するように、データを補正する。この結果、記録データの時刻ずれを補正できるので、各流体使用箇所での流体使用状況を正確に把握できる。
【００１１】
また、前記データ補正部によって、前記全体使用流量が零から立ち上がる日時の前後に亘って使用状態にある前記流体使用箇所での使用開始日時を、当該全体使用流量が零から立ち上がる日時に変更し、前記全体使用流量が零に立ち下がる日時の前後に亘って使用状態にある前記流体使用箇所での使用終了日時を、当該全体使用流量が零に立ち下がる日時に変更することが望ましい。
【００１２】
このようにすれば、記録データが実際の使用状況により一致した状態に補正されるので、各流体使用場所での流体使用状況を正確に把握することができる。
【００１３】
この場合、前記データ補正部は、単一の前記流体使用箇所で流体が使用されている場合に、当該流体使用箇所での使用開始日時および使用終了日時を、それぞれ、前記全体使用流量が零から立ち上がる日時および当該全体使用流量が零に立ち下がる日時に一致させるようになっていることが望ましい。
【００１４】
また、前記データ補正部は、単一の前記流体使用箇所での流体使用終了後に、前記全体使用流量が零に立ち下がってから再び立ち上がるまでの期間が一定時間未満の場合には、前記流体使用箇所での流体使用が継続しているようにデータ補正を行うことが望ましい。
【００１５】
さらに、前記データ補正部として検知器追加処理部を備えたものを採用し、この検知器追加処理部によって、前記全体使用流量が零でない期間に、使用状態の前記流体使用箇所が存在しない場合に、前記使用検知器が設置されていない検知器未設置箇所が有るものと判断して、未設置検知器データを表す横棒を表示するためのグラフデータを追加することが望ましい。
【００１６】
なお、前記データ補正部は、外部入力に基づき、前記データの不一致を補正できるように構成してもよい。
【００１７】
次に、本発明はコンピュータからなる記録データ処理装置に関するものであり、上記の構成を備えていることを特徴としている。
【００１８】
一方、本発明は流体使用状況の解析・表示用プログラムに関するものであり、上記の記録データ処理装置に、
前記全体使用流量解析器から、当該全体使用流量解析器の記録開始日時と、前記使用場所における単位時間毎の全体使用流量を表すパルス数を含むデータを受け取ると共に、前記使用検知器から、使用開始日時および使用終了日時を含むデータを受け取るデータ受信機能と、
受け取った前記データを記憶保持する記憶機能と、
記憶されている前記データから流体使用状況を表すグラフ表示データを作成する表示データ作成機能と、
作成された前記グラフ表示データを表示器に表示させる表示制御機能とを実現させ、
前記グラフ表示データには、第１の表示データ、第２の表示データおよび第３の表示データのうちの少なくとも第１の表示データが含まれており、
前記第１の表示データには、
前記全体使用流量を、横軸を時間、縦軸を流量とした折れ線グラフで表示するためのデータと、前記流体使用箇所のそれぞれにおける流体の使用の有無を、前記折れ線グラフ上において、使用開始日時から使用終了日時まで引いた横棒として表示するためのデータと、前記横棒を各流体使用箇所に応じて異なる表示形態で表示するためのデータと、前記横棒とそれが表す各流体使用箇所との対応関係表を表示するためのデータとが含まれており、
前記第２の表示データには、
各流体使用箇所における所定期間毎の流体使用量の積算値を棒グラフで表示するためのデータが含まれており、
前記第３の表示データには、
各流体使用箇所における所定期間の流体使用量の積算値の割合を円グラフで表示するためのデータが含まれていることを特徴としている。
【００１９】
ここで、前記記録データ処理装置に、前記全体使用流量解析器から供給されるデータと、各使用検知器から供給されるデータとの間の不一致を補正するデータ補正機能を実現させることが望ましい。
【００２０】
また、前記記録データ処理装置に、前記全体使用流量解析器および前記使用検出器から供給される前記データの時刻ずれを検出する時刻ずれ検出機能を実現させると共に、前記データ補正機能として、検出された時刻ずれに基づき、前記データ間の時刻ずれを補正する時刻ずれ補正機能を実現させ、前記時刻ずれ検出機能により、前記記録データ処理装置の内部時計による時刻と、データ受信時に前記データと共に供給される前記全体使用流量解析器の内部時計による時刻、および前記使用検知器の内部時計による時刻とをそれぞれ比較することにより、データの時刻ずれ量を検出し、前記時刻ずれ補正機能により、前記使用検知器から得られるデータの時刻を前記全体使用流量解析器から得られるデータの時刻に一致するように、データを補正することが望ましい。
【００２１】
さらに、前記データ補正機能によって、前記全体使用流量が零から立ち上がる日時の前後に亘って使用状態にある前記流体使用箇所での使用開始日時を、当該全体使用流量が零から立ち上がる日時に変更し、前記全体使用流量が零に立ち下がる日時の前後に亘って使用状態にある前記流体使用箇所での使用終了日時を、当該全体使用流量が零に立ち下がる日時に変更することが望ましい。
【００２２】
この場合、単一の前記流体使用箇所で流体が使用されている場合に、前記データ補正機能によって、当該流体使用箇所での使用開始日時および使用終了日時を、それぞれ、前記全体使用流量が零から立ち上がる日時および当該全体使用流量が零に立ち下がる日時に一致させることが望ましい。
【００２３】
また、前記データ補正機能によって、単一の前記流体使用箇所での流体使用終了後に、前記全体使用流量が零に立ち下がってから再び立ち上がるまでの期間が一定時間未満の場合には、前記流体使用箇所での流体使用が継続しているようにデータ補正を行うことが望ましい。
【００２４】
さらに、前記データ補正機能に検知器追加処理機能を含め、前記検知器追加処理機能によって、前記全体使用流量が零でない期間に、使用状態の前記流体使用箇所が存在しない場合に、前記使用検知器が設置されていない検知器未設置箇所が有るものと判断して、未設置検知器データを表す横棒を表示するためのグラフデータを追加することが望ましい。
【００２５】
さらには、前記データ補正機能を、外部入力に基づき、前記全体使用流量解析器から供給されるデータと、各使用検知器から供給されるデータとの間の不一致を補正する手動補正機能を含むものとしてもよい。
【００２６】
次に、本発明はコンピュータ読み取り可能な記録媒体に関するものであり、上記の各機能を実現するための流体使用状況の解析・表示用プログラムが記録されていることを特徴としている。
【発明の効果】
【００２７】
以上説明したように、本発明によれば、水道水やガスなどの流体使用場所における全体の流体使用状況および各流体使用機器による流体使用状況を把握できる。また、これらの状況を各機器の時刻ずれ、計測誤差を補正することにより精度良く解析できる。さらには、解析結果を極めて分かりやすい形態でグラフ表示できる。
【発明を実施するための最良の形態】
【００２８】
以下に図面を参照して、本発明を適用した流体使用状況の解析・表示システムの実施の形態を説明する。
【００２９】
（全体構成）
図１は流体使用状況の解析・表示システムの全体構成を示す概略構成図である。解析・表示システム１は、一般家庭などのような水道およびガスの使用場所２における水道機器およびガス機器の使用状況を解析して表示するものである。この解析・表示システム１は、水道データ収集装置４と、ガスデータ収集装置５と、これらの水道データ収集装置４およびガスデータ収集装置５からの記録データを解析して表示する記録データ処理装置６とを有している。
【００３０】
水道データ収集装置４は、使用場所に水道水を供給する主水管に設置された水道メータ２１に取り付けられている全体使用水量解析器４１と、主水管から分岐している各分岐管に取り付けられている各水使用機器、本例では、洗面所の水栓２２（１）、風呂の水栓２２（２）などの水栓機器２２に個別に取り付けられた水栓使用検知器４２とを備えている。全体使用水量解析器４１は、水道メータ２１によって計測される流量変化に対応するパルス信号を単位時間毎に積算して記録するものであり、使用場所２における水道水の全体使用流量の変化が記録される。水道メータ２１が機械式の場合には、電子式の場合と異なり流量変化がパルス信号として出力されない。この場合には、水道メータ２１の表示部に配置されているパイロットの回転を光学的に検出してパルスを発生するパルス発生器を用いて、全体使用水量解析器４１にパルス信号を入力すればよい。各水栓使用検知器４２は、各水栓機器２２に直接、あるいはその接続管に取り付けられたセンサによって振動、温度、音などの状態変化を検出することにより、各水栓機器２２の使用時間帯（使用開始時間および使用終了時間）を検出して記録するものである。全体使用水量解析器４１および各水栓使用検知器４２の記録データは記録データ処理装置６に送信される。
【００３１】
ガスデータ収集装置５は、使用場所２にガスを供給する主ガス管に設置したガスメータ３１に取り付けられている全体使用ガス量解析器５１と、主ガス管から分岐している各分岐管に取り付けられている給湯器３２（１）、コンロ３２（２）などのガス機器３２に個別に取り付けられたガス器具使用検知器５２とを備えている。全体使用ガス量解析器５１は、ガスメータ３１で計測される流量変化に対応するパルス信号を単位時間毎に積算して記録するものである。ガスメータ３１が機械式の場合には、電子式の場合と異なり流量変化がパルス信号と出力されないため、メータのカウンタ部における回転ドラムに形成されている銀線の回転を光学的に検出してパルスを発生するパルス発生器を用いて、全体使用ガス量解析器５１にパルス信号を入力すればよい。ガス器具使用検知器５２は、各ガス機器３２に直接、あるいはその接続管に取り付けられたセンサによって振動、温度、音などの状態変化を検出することにより、各ガス機器３２の使用時間帯（使用開始時間および使用終了時間）を検出して記録するものである。全体使用ガス量解析器５１およびガス器具使用検知器５２の記録データは記録データ処理装置６に送信される。
【００３２】
記録データ処理装置６は、パーソナルコンピュータを中心に構成されており、水道データ収集装置４およびガスデータ収集装置の記録データを受信するコンピュータ６１と、コンピュータ６１に接続された表示器６２と、コンピュータ６１の操作を行うための入力部６３とを備えている。コンピュータ６１は、ＲＳ−２３２Ｃインターフェースまたは無線通信により水道データ収集装置４およびガスデータ収集装置５と接続されており、それぞれの記録データを受信するとともに、水道データ収集装置４およびガスデータ収集装置５の設定を行うこともできる。
【００３３】
図２は、記録データ処理装置６によって実現される主要機能を示す機能ブロック図である。記録データ処理装置６はデータ受信部７１を備え、このデータ受信部７１は、全体使用水量解析器４１および全体使用ガス量解析器５１から、それら解析器の記録開始日時と、使用場所における単位時間毎の全体使用水量および全体使用ガス量を表すパルス数を含むデータを受け取る。また、水栓使用検知器４２およびガス器具使用検知器５２から、それぞれ、各機器の使用開始日時および使用終了日時を含むデータを受け取る。また、データ受信部７１で受け取ったデータを記憶保持する記憶部７２を備えている。さらに、記憶部７２に保持されているデータに基づき、水道使用状況およびガス使用状況を表すグラフ表示データを作成する表示データ作成部７３を備え、ここで作成されたグラフ表示データは、表示制御部７４の制御の下で、表示器６２に表示される。
【００３４】
また、本例の記録データ処理装置６は、上記構成に加えて、グラフ表示を自動補正するためのデータ補正部７５と時刻ずれ検知部７６を備えている。時刻ずれ検知部７６は、全体使用水量解析器４１と各水栓使用検知器４２の間に時刻ずれが発生している否か、および、全体使用ガス量解析器５１と各ガス器具使用検知器５２の間に時刻ずれが発生しているか否かを検出する。データ補正部７５では、検出された時刻ずれに基づき、グラフ表示を自動補正する。
【００３５】
次に、各部の機能（処理動作）を詳細に説明する。なお、水道データ収集装置４から得られるデータの解析・表示とガスデータ収集装置５から得られるデータの解析・表示の処理は同様であるので、以下の説明においては水道データ収集装置４から得られるデータの解析および表示の機能についてのみ説明する。
【００３６】
（データ受信機能）
データ受信部７１は、ＲＳ―２３２Ｃインターフェースまたは無線通信によって、全体使用水量解析器４１および各水栓使用検知器４２から記録データを取得する。取得された記録データは、記憶部７２に所定の形式で記憶保持される。
【００３７】
全体使用水量解析器４１から取得された記録データには、記録開始日時と水道メータ２１からの１秒毎の積算パルスデータが含まれている。また、各水栓使用検知器４２から取得された記録データには、水栓２２あるいは水栓の接続管に取り付けられたセンサにより検出された使用開始日時および使用終了日時が含まれている。
【００３８】
記録データの取得の際には、時刻ずれ検知部７６により、全体使用水量解析器４１と各水栓使用検知器４２のそれぞれの内部時計の時刻ずれの有無が確認される。後述のように、時刻ずれが発生している場合には、データ補正部７５により、水栓使用検知器４２の全記録データの使用開始日時および使用終了日時が時刻ずれの分だけ補正される。
【００３９】
（グラフ表示機能）
データ受信部７１で取得された記録データは、表示データ作成部７３において、水栓機器２２毎に使用時間帯および使用水量が解析され、この解析結果に基づいて、グラフ表示データが作成される。作成されたグラフ表示データは、表示制御部７４を介して表示器６２に表示される。
【００４０】
本例のグラフ表示データには、第１の表示データ、第２の表示データおよび第３の表示データが含まれている。第１の表示データには、全体使用水量を、横軸を時間、縦軸を流量とした折れ線グラフで表示するためのデータと、水道水の各使用箇所のそれぞれにおける使用の有無を、折れ線グラフ上において、使用開始日時から使用終了日時まで引いた横棒として表示するためのデータと、横棒を各使用箇所に応じて異なる表示形態で表示するためのデータと、横棒とそれが表す各使用箇所との対応関係を表示するためのデータとが含まれている。第２の表示データには、各使用箇所における所定期間毎の流体使用量（水道水使用量）の積算値を棒グラフで表示するためのデータが含まれている。また、第３の表示データには、各使用箇所における所定期間の流体使用量（水道水使用量）の積算値の割合を円グラフで表示するためのデータが含まれている。
【００４１】
図３、図４、図５は、それぞれ第１、第２および第３のグラフ表示データによるグラフ表示画面を示す説明図である。図３に示す第１の表示データに基づくグラフ８では、使用水量の推移を表す折れ線グラフ８１と、使用されている水栓機器を示す水栓グラフ８２とが同一画面に表示される。折れ線グラフ８１は、全体使用水量解析器４１の記録データにおける１秒毎の積算パルス数にパルスレートを掛けて算出した水道使用量である。水栓グラフ８２は、折れ線グラフ８１の上側に、水栓使用検知器４２の使用時間帯を表すために、時間軸に平行に引いた横棒であり、線種または色によって水栓機器２２の種類を示している。グラフの右側の欄外部分８３には、水栓グラフ８２に用いた線種または色と、それに対応する水栓機器２２との対応関係を表す一覧表が表示されている。この表により、使用されている水栓機器２２を直ちに認識できる。また、水栓グラフ８２の両端（使用開始日時および使用終了日時）からは、折れ線グラフ８１の側に垂直に点線８４を降ろしてあり、使用されている水栓機器２２に対応する水道使用量の変化が理解しやすい表示となっている。
【００４２】
図４に示す第２のグラフ表示データに基づくグラフ８Ａは、所定の期間に使用した水道量を水栓機器２２別に積算した棒グラフである。水栓機器２２毎に色を変えているので、水栓毎の使用量を直ちに理解できる。このグラフの表示期間を変更することにより、１年間、１ヶ月、１日、１時間、１分毎の使用量を表示させることができる。水道使用量を料金に換算して、水栓機器毎の水道料金を表示させることもできる。
【００４３】
図５に示す第３のグラフ表示データに基づくグラフ８Ｂは、所定の期間に使用した水道量についての水栓機器２２別の使用率を表す円グラフである。このように表示することにより、水栓機器２２毎にどの程度水道水が使われたのかの割合を理解できる。
【００４４】
（時刻ずれ補正機能）
図６（ａ）および（ｂ）は、データ補正部７５によるデータ自動補正処理を示す説明図である。全体使用水量解析器４１の記録データと水栓使用検知器４２の記録データとの間に時刻ずれが生じている場合には、図６（ａ）に示すグラフ８Ｃのように、表示器６２に表示される全体使用水量解析器４１の記録データである折れ線グラフ８１と、同じく表示器６２に表示される水栓使用検知器４２の記録データである水栓グラフ８２とが横軸（時間軸）方向にずれる。データ補正部７５は、図６（ｂ）に示すように、水栓グラフ８２を補正して、換言すると、横軸方向にシフトさせて、時刻ずれを自動補正する機能を備えている。この時刻ずれは、使用水量解析器４１の内部時計の精度と、水栓使用検知器４２の内部時計の精度の違いに起因して発生する。
【００４５】
このような時刻補正を行うにあたって時刻ずれ検知部７６では、全体使用水量解析器４１および水栓使用検知器４２からの記録データの取得時に、これらの記録データと共に受信する解析器４１および検知器４２それぞれの内部時計の時刻と、記録データ処理装置６の内部時計７７の時刻を比較して、全体使用水量解析器４１および水栓使用検知器４２の記録データにおける時刻ずれを検出している。
【００４６】
例えば、記録データ処理装置６の時計が００時００分３０秒のときに、記録データ処理装置６が使用水量解析器４１のデータを取得すると、時刻ずれ検出部７６では、全体使用水量解析器４１の内部時計の時刻と記録データ処理装置６の内部時計の時刻を比較する。この際に、全体使用水量解析器４１の時計が００時００分００秒であれば、時刻ずれ検出部７６は、「全体使用水量解析器４１の時計が記録データ処理装置６の時計に比べて３０秒遅れている」というデータを記録する。
【００４７】
次に、１０分後、すなわち、記録データ処理装置６の時計が００時１０分３０秒のときに、記録データ処理装置６が水栓使用検知器４２のデータを取得すると、時刻ずれ検出部７６では、水栓使用検知器４２の時計の時刻と記録データ処理装置６の時計の時刻を比較する。この際に、水栓使用検知器４２の時計が００時１１分００秒であれば、時刻ずれ検出部７６は、「水栓使用検知器４２の時計が記録データ処理装置６の時計に比べて３０秒進んでいる」というデータを記録する。
【００４８】
そして、時間ずれ検出部７６では、記録データ処理装置６の内部時計を基準にして全体使用水量解析器４１と水栓使用検知器４２の時間ずれを求める。記録データ処理装置６の内部時計７７を基準にして全体使用水量解析器４１の時計が３０秒遅れ、水栓使用検知器４２の時計が３０秒進んでいる場合には、全体使用水量解析器４１に比べて、水栓使用検知器４２の時計が１分進んでいることが検出される。
【００４９】
データ補正部７５の時刻ずれ補正部７５ａでは、記録データ処理装置６で受信した水栓使用検知器４２のデータを１分遅らせることにより、水栓使用検知器４２と全体使用水量解析器４１の時刻ずれを補正することができる。
【００５０】
また、時刻ずれ補正部７５ａでは、長期間、例えば、１ヶ月分の使用水量解析器４１および水栓使用検知器４２の記録データについての時刻ずれ補正を行う場合、記録開始日時付近の時刻ずれと、記録終了日時付近の時刻ずれを求めることにより、記録期間の時刻ずれを補正することができる。
【００５１】
次に、図７（ａ）ないし（ｄ）は、時刻ずれ補正部７５ａによる長期の時刻ずれの補正手順の説明図である。例えば、記録開始日時を１月１日の００時００分、記録終了日時を１月３１日の２３時５９分までとして記録データを取得した場合を例とする。全体使用水量解析器４１および水栓使用検知器４２は、内部時計の精度が異なるため、水栓使用検知器４２の内部時計が毎日２秒遅れていくとする。この場合、図７（ａ）に示すように、使用水量解析器４１および水栓使用検知器４２の記録データは、試験開始時点の１月１日に時刻ずれがなくても、試験終了の１月３１日には６０秒ずれてしまう。
【００５２】
この時刻ずれを補正するために、時刻ずれ検出部７５により検出された時刻ずれデータ、すなわち、記録開始日時付近のデータを参照して全体使用水量解析器４１と水栓使用検知器４２の時計ずれのデータを保存する。例えば、図７（ｂ）に示すように、１月１日の０６時００分のデータがＡ秒ずれているという内容を保存する。次に、記録終了日時付近のデータを参照して全体使用水量解析器４１と水栓使用検知器４２の時計ずれデータを保存する。例えば、図７（ｃ）に示すように、１月３１日の０６時００分のデータがＢ秒ずれているという内容を保存する。
【００５３】
時刻ずれ補正部７５ａでは、記録開始日時付近および記録終了日時付近の時刻ずれデータに基づき、３０日間の全体使用水量解析器４１と水栓使用検知器４２の時計誤差Ｃを求める。時計誤差Ｃは、図７（ｄ）に示すように、Ｃ＝Ｂ−Ａとなる。これより、１日分の時計の誤差Ｃ／３０が求められる。この１日分の時計の誤差を記録開始日時から１日ずつ補正することにより、水栓使用検知器４２の３０日分の記録データの時刻ずれを補正することができる。例えば、１日分の時計誤差Ｃ／３０が２秒の場合は、１日目は２秒、２日目は４秒、３日目は６秒、４日目は８秒、５日目は１０秒・・・というように水栓使用検知器４２の記録データを補正する。
【００５４】
（水栓グラフと折れ線グラフの自動マッチング機能）
次に、水栓機器２２の使い始めや、使い終わりの使用水量は微量のため、水栓使用検知器４２で検知できない場合がある。この場合、図３に示すグラフ８では、折れ線グラフ８１と水栓グラフ８２が横軸（時間軸）方向にずれる。このような場合、データ補正部７５の自動マッチング部７５ｂでは、水栓グラフ８２の両端を補正して折れ線グラフ８１に一致させる自動補正を行う。
【００５５】
図８（ａ）および（ｂ）は、データ補正部７５によるグラフの自動マッチングの説明図である。図９（ａ）ないし（ｇ）は、水栓機器２２が単独使用されている場合のグラフの自動マッチングの説明図である。図１０（ａ）および（ｂ）は、水栓機器２２が複数使用されている場合のグラフの自動マッチングの説明図である。
【００５６】
図８（ａ）に示すグラフ８Ｄは、使用水量の折れ線グラフ８１の水量変化が零にならないうちに、水栓機器２２の使用状態を示す水栓グラフ８２が検知終了日時を示している。この場合に、データ補正部７５では、図８（ｂ）に示すように、水栓グラフ８２の検知終了日時を、折れ線グラフ８１の使用水量が立ち下がって零になっている日時に変更する。
【００５７】
図９（ａ）ないし（ｆ）の左側に示すように、水栓機器２２が単独使用されている場合に、折れ線グラフ８１が零から立ち上がる時刻および零に立ち下がる時刻と、水栓グラフ８２の検知開始時刻および検知終了時刻とがずれているときには、データ補正部７５では、それぞれ図９の右側に示すように水栓グラフ８２を折れ線グラフ８１に合わせて変更する。
【００５８】
また、図９（ｇ）の左側に示すように、折れ線グラフ８１の流量変化が立ち下がってから一定の時間間隔で使用水量有りと無しとが繰り返すことがある。これは、水栓機器２２では、水が止まる直前は流れる水が少なくなり、全体使用水量解析器では検知できずに、使用水量有りと無しとが繰り返されるためである。この場合、データ補正部７５では、使用水量無しの間隔が一定時間（ｎ秒）以内であれば、図９（ｇ）の右側に示すように同じ水栓機器２２の使用が継続していると判断して水栓グラフ８２を補正する。
【００５９】
このような折れ線グラフ８１に対する水栓グラフ８２の補正では、図１０（ａ）の左側に示すように、水栓機器２２が複数同時に使用されて２本の水栓グラフ８１ａ、８１ｂが表示されている場合は、水栓機器２２が単独で使用されている場合と同様に水栓グラフ８１ａ、８１ｂの補正をすると、図１０（ａ）の右側に示すように、２つの水栓グラフ８１ａ、８１ｂが同じになってしまい、正しく補正できない。
【００６０】
そこで、データ補正部７５では、水栓機器２２が単独で使用されている全データの補正結果より、補正の伸び率の平均値を求めて記憶しておき、その値を水栓機器２２が複数同時に使用されている補正に用いるようにしている。従って、図１０（ｂ）の左側に示すように、一方の水栓グラフ８１ａで示される水栓機器の補正の伸びがａ秒、他方の水栓グラフ８１ｂで示される水栓機器の補正の伸びがｂ秒の場合、データ補正部７５では、図１０（ｂ）の右側に示すように、水栓グラフ８１ａ、８１ｂをそれぞれａ秒とｂ秒で延ばして補正する。
【００６１】
（未設置検知器の水栓グラフの自動追加機能）
また、データ補正部７５では、水栓使用検知器４２を取り付けなかった水栓機器２２があった場合に、その未設置検知器の水栓グラフを自動追加する自動追加部７５ｃを備えている。図１１（ａ）および（ｂ）は、データ補正部７５による未設置検知器の水栓グラフの自動追加の説明図である。
【００６２】
図１１（ａ）に示すグラフ８Ｄのように、水栓グラフ８２が対応していない折れ線グラフ８１が一定時間以上あった場合には、図１１（ｂ）に示すように、データ補正部７５は、水栓使用検知器４２が未設置の水栓機器２２が使用されているとして、その水栓グラフ８２を自動で追加する。
【００６３】
（水栓グラフの手動補正機能）
なお、本例のデータ補正部７５は、水栓グラフ８２の補正を記録データ処理装置６１の入力部６３からの手動入力指示により行う手動補正部７５ｄも備わっている。すなわち、水栓グラフ８２と折れ線グラフ８１が合っていない場合は、水栓グラフ８２の検知開始日時と検知終了日時を個別に手動で修正できる。また、水栓グラフ８２が対応していない折れ線グラフ８１がある場合、個別に手動で水栓グラフ８２を追加できる。さらに、水栓使用検知器４２が誤作動して水栓機器２２が検知されてしまった場合など、必要がない水栓グラフ８２が表示されている場合は、個別に手動で水栓グラフを削除できる。
【００６４】
このように本例のシステム１では、全体使用水量解析器４１および機器使用検知器４２の記録データを解析し、その時刻ずれなどの起因する誤差を補正し、実際の使用状態を反映したグラフ表示データを作成して分かり易い形態で表示することができる。従って、表示されるグラフを見ることにより、各機器の流体使用状況を正確に把握できる。
【産業上の利用可能性】
【００６５】
本発明のガス使用状況監視システムは、水道、ガス以外の各種の気体燃料あるいは液体燃料などを消費する機器別の使用状況を監視するシステムとして利用することも可能である。
【図面の簡単な説明】
【００６６】
【図１】本発明の流体使用状況の解析・表示システムの全体構成を示す概略構成図である。
【図２】図１のシステムの記録データ処理装置の主要機能を示す機能ブロック図である。
【図３】図１のシステムによる流体使用量と機器別の使用時間とを示すグラフ表示の説明図である。
【図４】図１のシステムによる機器別に流体使用量を積算して示す棒グラフ表示の説明図である。
【図５】図１のシステムによる機器別の流体使用量の割合を示す円グラフ表示の説明図である。
【図６】（ａ）および（ｂ）は、折れ線グラフと水栓グラフの時刻ずれの補正処理を示す説明図である。
【図７】（ａ）ないし（ｄ）は、長期の時刻ずれの補正処理を示す説明図である。
【図８】（ａ）および（ｂ）は、グラフの自動マッチング処理の説明図である。
【図９】（ａ）ないし（ｇ）は、水栓機器が単独使用されている場合のグラフの自動マッチング処理の説明図である。
【図１０】（ａ）および（ｂ）は、水栓機器が複数使用されている場合のグラフの自動マッチング処理の説明図である。
【図１１】（ａ）および（ｂ）は、未設置検知器の水栓グラフの自動追加処理の説明図である。
【符号の説明】
【００６７】
１  流体使用状況の解析・表示システム
２  使用場所
４  水道データ収集装置
５  ガスデータ収集装置
６  記録データ処理装置
２１  水道メータ
２２  水栓機器
３１  ガスメータ
３２  ガス機器
４１  全体使用水量解析器
４２  水栓使用検知器
５１  全体使用ガス量解析器
５２  ガス機器使用検知器
６１  コンピュータ
６２  表示器
６３  入力部
７１  データ受信部
７２  記憶部
７３  表示データ作成部
７４  表示制御部
７５  データ補正部
７５ａ  時刻ずれ補正部
７５ｂ  自動マッチング部
７５ｃ  自動追加部
７５ｄ  手動補正部
７６  時刻ずれ検知部
７７  内部時計
【図１】
2005147721.tif 000003
【図２】
2005147721.tif 000004
【図３】
2005147721.tif 000005
【図４】
2005147721.tif 000006
【図５】
2005147721.tif 000007
【図６】
2005147721.tif 000008
【図７】
2005147721.tif 000009
【図８】
2005147721.tif 000010
【図９】
2005147721.tif 000011
【図１０】
2005147721.tif 000012
【図１１】
2005147721.tif 000013